(57)【要約】【課題】流路に対する外径の大きさを小さくすることが可能な構成を有する雌型管継手部材を提供することを目的とする。【解決手段】雌型管継手部材１０４が備える継手本体１３２の筒状周壁部１４０の外側に配置されたスリーブ１３８が、その内周面１３８ｂから外周面１３８ａにまで貫通する施錠子受入孔１５４を有する。この施錠子受入孔１５４が施錠子１３６と径方向で整合した施錠子解放位置にあるときに、施錠子１３６は施錠子受入孔１５４に受け入れられて施錠解除位置となる。施錠子受入孔１５４は、施錠子１３６を径方向外側に通過させない形状となっていて、施錠解除位置にある施錠子１３６を外側から保持する。【選択図】図１
2017057720.tif 000002
【特許請求の範囲】
【請求項１】
対応する雄型管継手部材に取り外し可能に連結される雌型管継手部材であって、
該雄型管継手部材を受け入れる筒状周壁部、及び該筒状周壁部に径方向で貫通するように形成された施錠子保持孔を有する継手本体と、
該施錠子保持孔内に配置された施錠子であって、該筒状周壁部内に受け入れた雄型管継手部材を施錠するように該筒状周壁部から内側に一部が突出した施錠位置と、該雄型管継手部材に対する施錠を解除するように該施錠位置よりも外側に位置し該筒状周壁部から外側に一部が突出した施錠解除位置との間で変位可能とされた施錠子と、
内周面及び外周面を有し、該筒状周壁部を周方向で囲むように配置され、該筒状周壁部の外周面に沿って変位可能とされたスリーブであって、該スリーブの該内周面から該外周面に貫通し、該内周面に開口する内側開口周縁部、該外周面に開口する外側開口周縁部、及び該内側開口周縁部と外側開口周縁部との間に延びる孔内周面とを有する施錠子受入孔を有し、該施錠子受入孔が該施錠子保持孔と径方向で整合して該筒状周壁部から外側に突出する該施錠子の一部を受け入れて該施錠子が該施錠解除位置となることを許容する施錠子解放位置と、該施錠子受入孔が該施錠子保持孔と径方向で整合せず該スリーブの該内周面によって該施錠子を該施錠位置に保持する施錠保持位置との間で変位可能とされ、該スリーブが該施錠子解放位置にあるときに該施錠子受入孔の該内側開口周縁部、該外側開口周縁部、及び該孔内周面のうちの何れかが該施錠子に係合して、該施錠子が該スリーブを径方向外側に通過するのを阻止するようになされている、スリーブと、
を備える雌型管継手部材。
【請求項２】
該施錠子が球形の部材であり、該施錠子受入孔が該施錠子の直径よりも小さい直径を有する円形の孔である、請求項１に記載の雌型管継手部材。
【請求項３】
該スリーブの該内周面に凹部が形成され、該施錠子受入孔の該内側開口周縁部が、該凹部に開口して該継手本体の外周面から離れた位置となるようにされ、該スリーブが該施錠子解放位置にあるときに該内側開口周縁部が該施錠子に係合するようにされた、請求項１又は２に記載の雌型管継手部材。
【請求項４】
該施錠子が該施錠解除位置にあるときに、該施錠子の径方向での頂部の位置が、該スリーブの該外周面と略面一となる、請求項１乃至３の何れか一項に記載の雌型管継手部材。
【請求項５】
該継手本体に設けられた第１ガイド部と、該スリーブに設けられた第２ガイド部と、をさらに備え、該スリーブを該施錠子解放位置から該施錠子保持位置に変位させるときに、該第１ガイド部と該第２ガイド部とが係合して、該スリーブが該施錠子保持位置に向かってガイドされるようにされた、請求項１乃至４の何れか一項に記載の雌型管継手部材。
【請求項６】
請求項１乃至５の何れか一項に記載の雌型管継手部材と、
該雌型管継手部材に取り外し可能に連結される雄型管継手部材と、
を備える、管継手。
【発明の詳細な説明】
【技術分野】
【０００１】
本発明は、雌型管継手部材、及び雌型管継手部材と雄型管継手部材とからなる管継手に関する。
【背景技術】
【０００２】
例えば特許文献１に示すように、雄型管継手部材と雌型管継手部材とからなる管継手において、施錠子によって雄型管継手部材と雌型管継手部材とを取り外し可能に連結するようにしたものがよく知られている。このような管継手における雌型管継手部材は、通常、雄型管継手部材を受け入れる継手本体と、継手本体の施錠子保持孔内において径方向に変位可能に保持された施錠子と、継手本体の外周面上に配置されて施錠子の位置を制限するようにされたスリーブとを備えている。この雌型管継手本体が雄型管継手本体との連結状態となっているときには、施錠子が、継手本体の内周面から突出して雄型管継手部材の係合溝に係合し、またスリーブの内周面によって径方向外側から押えられて係合溝に係合した状態に維持されるようにされ、これにより雄型管継手部材は雌型管継手部材から取り外しできない状態となる。この連結を解除する際には、スリーブの内周面に設けられた拡径部が施錠子と径方向で整合するようにスリーブを継手本体に対して変位させて、施錠子が雄型管継手部材の係合溝から径方向外側に変位可能な状態とする。この状態で雄型管継手部材を雌型管継手部材から引き抜くようにすると、施錠子は係合溝によって径方向外側に変位して係合溝との係合が解除される。【０００３】
連結が解除される際に、施錠子はスリーブの拡径部に向かって径方向外側に変位するが、この拡径部は、施錠子及び施錠子保持孔を径方向外側から覆うような内周面を有する形状とされている。この拡径部の内周面が施錠子の外側頂部に当接して該施錠子の径方向外側への変位を制限するようにすることで、該施錠子が施錠子保持孔から完全に外れてしまうことがないようにしている。
【先行技術文献】
【特許文献】
【０００４】
【特許文献１】特開２０１４−２０２３１０号公報
【発明の概要】
【発明が解決しようとする課題】
【０００５】
管継手を通して流すことが可能な流量は、主として管継手の流路の大きさによって決まる。したがって、最大流量を大きくするためには流路を大きくする必要があるが、そうすると必然的に管継手の径も大きくなる。上述のような管継手における雌型管継手部材においては、連結解除状態において施錠子が継手本体の内周面に突出しない位置となるが、そのときにこの施錠子が施錠子保持孔から完全には外れないようにするためにスリーブに施錠子全体を径方向外側から押える上記拡径部のような構造が設けられている。したがって、雌型管継手部材の外径は、継手本体の内径に少なくとも施錠子と該施錠子全体を覆う部分のスリーブの厚みとを加えた大きさとなり、このような構成が管継手の外径を小さくすることの妨げとなっていた。【０００６】
そこで本発明は、上記従来技術の問題に鑑みて、流路に対する外径の大きさを従来のものに比べて小さくすることが可能な構成を有する雌型管継手部材、及びこのような雌型管継手部材と雄型管継手部材とからなる管継手を提供することを目的とする。
【課題を解決するための手段】
【０００７】
すなわち本発明は、
対応する雄型管継手部材に取り外し可能に連結される雌型管継手部材であって、
該雄型管継手部材を受け入れる筒状周壁部、及び該筒状周壁部に径方向で貫通するように形成された施錠子保持孔を有する継手本体と、
該施錠子保持孔内に配置された施錠子であって、該筒状周壁部内に受け入れた雄型管継手部材を施錠するように該筒状周壁部から内側に一部が突出した施錠位置と、該雄型管継手部材に対する施錠を解除するように該施錠位置よりも外側に位置し該筒状周壁部から外側に一部が突出した施錠解除位置との間で変位可能とされた施錠子と、
内周面及び外周面を有し、該筒状周壁部を周方向で囲むように配置され、該筒状周壁部の外周面に沿って変位可能とされたスリーブであって、該スリーブの該内周面から該外周面に貫通し、該内周面に開口する内側開口周縁部、該外周面に開口する外側開口周縁部、及び該内側開口周縁部と外側開口周縁部との間に延びる孔内周面とを有する施錠子受入孔を有し、該施錠子受入孔が該施錠子保持孔と径方向で整合して該筒状周壁部から外側に突出する該施錠子の一部を受け入れて該施錠子が該施錠解除位置となることを許容する施錠子解放位置と、該施錠子受入孔が該施錠子保持孔と径方向で整合せず該スリーブの該内周面によって該施錠子を該施錠位置に保持する施錠保持位置との間で変位可能とされ、該スリーブが該施錠子解放位置にあるときに該施錠子受入孔の該内側開口周縁部、該外側開口周縁部、及び該孔内周面のうちの何れかが該施錠子に係合して、該施錠子が該スリーブを径方向外側に通過するのを阻止するようになされている、スリーブと、
を備える雌型管継手部材を提供する。【０００８】
当該雌型管継手部材においては、施錠解除位置となった施錠子を貫通した施錠子保持孔に受け入れるようになっている。そのため、施錠解除位置にある施錠子を径方向外側から覆って押える拡径部を有する従来の雌型管継手部材に比べて、施錠子を覆う部分がなくなる分だけスリーブを薄くすることが可能となる。これにより、流路に対する雌型管継手部材の外径を従来のものに比べて小さくすることが可能となる。【０００９】
好ましくは、該施錠子が球形の部材であり、該施錠子受入孔が該施錠子の直径よりも小さい直径を有する円形の孔であるようにすることができる。【００１０】
より好ましくは、該スリーブの該内周面に凹部が形成され、該施錠子受入孔の該内側開口周縁部が、該凹部に開口して該継手本体の外周面から離れた位置となるようにされ、該スリーブが該施錠子解放位置にあるときに該内側開口周縁部が該施錠子に係合するようにすることができる。【００１１】
このような構成により、施錠子受入孔の内側開口周縁部が球形の施錠子のより外側の位置で接触するようになるため、スリーブを施錠子解放位置から施錠子保持位置に変位させる際に施錠子受入孔の内側開口周縁部によって施錠子に加わる力がより内側向きとなり、施錠子をより円滑に径方向内側に向かって施錠位置にまで変位させることが可能となる。【００１２】
好ましくは、該施錠子が該施錠解除位置にあるときに、該施錠子の径方向での頂部の位置が、該スリーブの該外周面と略面一となるようにすることができる。【００１３】
このような構成とすることにより、施錠子を利用した雌型管継手部材において、流路に対する雌型管継手部材の外径の大きさを実質的に最小とすることが可能となる。【００１４】
好ましくは、該継手本体に設けられた第１ガイド部と、該スリーブに設けられた第２ガイド部と、をさらに備え、該スリーブを該施錠子解放位置から該施錠子保持位置に変位させるときに、該第１ガイド部と該第２ガイド部とが係合して、該スリーブが該施錠子保持位置に向かってガイドされるようにすることができる。【００１５】
当該雌型管継手部材においては、スリーブを施錠子解放位置とするためには、施錠子受入孔と施錠子とを径方向で整合させる必要があるが、第１及び第２ガイド部によりスリーブを施錠子解放位置に向かってガイドすることにより、施錠子受入孔と施錠子との位置を整合させるためのスリーブの操作をより容易に行うことが可能となる。【００１６】
本発明はまた、
上記の何れかの雌型管継手部材と、
該雌型管継手部材に取り外し可能に連結される雄型管継手部材と、
を備える、管継手を提供する。【００１７】
以下、本発明に係る管継手の実施形態を添付図面に基づき説明する。
【図面の簡単な説明】
【００１８】
【図１】本発明の第１の実施形態に係る管継手の非連結状態における断面図である。
【図２】図１の管継手の雄型管継手部材が雌型管継手部材内に挿入されている状態を示す図である。
【図３】図１の管継手の連結状態を示す図である。
【図４】施錠子、施錠子保持孔、及び施錠子受入孔を示す拡大図である。
【図５】図１の管継手のスリーブの展開図である。
【図６】本発明の第２の実施形態に係る管継手の非連結状態における断面図である。
【図７】図６の管継手の雄型管継手部材が雌型管継手部材内に挿入されている状態を示す図である。
【図８】図６の管継手の連結状態を示す図である。
【図９】図６の管継手のスリーブの展開図である。
【図１０】図６のＡ−Ａ線における断面図である。
【図１１】図８のＢ−Ｂ線における断面図である。
【発明を実施するための形態】
【００１９】
本発明の第１の実施形態に係る管継手１００は、図１に示すように互いに取り外し可能に連結される雄型管継手部材１０２と雌型管継手部材１０４とからなる。
【００２０】
雄型管継手部材１０２は、雄側流路１１０を有する筒状の雄側継手本体１１２と、雄側流路１１０内でその長手軸線Ｌの方向に変位可能に配置された弁体１１４と、弁体１１４を雄側継手本体１１２の前端開口１１６に設けられた弁座部１１８に向かって押圧するスプリング１２０とからなる。弁体１１４がスプリング１２０の付勢力によって弁座部１１８に押しつけられることにより、雄側流路１１０は閉止された状態となる。雄側継手本体１１２の外周面１１２ａには、後述する施錠子１３６が係合する円環状の施錠子係合溝１２２が形成されている。図示の雄側継手本体１１２は、相互に同軸状にされた前方筒部１１２Ａ及び後方筒部１１２Ｂが連結して構成されているが、それらを一体成形のものとすることもできる。
【００２１】
雌型管継手部材１０４は、雌側流路１３０を有する筒状の雌側継手本体１３２と、雌側継手本体１３２に形成された施錠子保持孔１３４内に配置された施錠子１３６と、雌側継手本体１３２の外周面１３２ａ上に配置されたスリーブ１３８とを備える。雌側継手本体１３２は、雄型管継手部材１０２を受け入れる筒状周壁部１４０を有し、施錠子保持孔１３４はこの筒状周壁部１４０に径方向で貫通するように形成されている。雌側継手本体１３２はさらに雌側流路１３０の中央に配置された弁座部１４２を備えており、この弁座部１４２と筒状周壁部１４０との間には長手軸線Ｌの方向に摺動可能に配置されたスライド弁１４４が配置されている。スライド弁１４４は、弁座部１４２に密封係合する円環状の弁体１４６と、この弁体１４６を保持し筒状周壁部１４０の内周面１４０ｂに対して摺動する筒状の弁体支持部材１４８とからなる。スライド弁１４４は、スプリング１５０によって雌側継手本体１３２の前端開口１５２に向かって付勢され、スプリング１５０の付勢力によって弁体１４６が弁座部１４２に押しつけられることにより雌側流路１３０を閉止する。スリーブ１３８には、その内周面１３８ｂから外周面１３８ａにまで貫通する円形の施錠子受入孔１５４が形成されている。施錠子受入孔１５４の直径は、施錠子１３６の直径よりも小さく、施錠子１３６を径方向外側に通過させない大きさとなっている。図示の雌側継手本体１３２は相互に同軸状にされた前方筒部１３２Ａ及び後方筒部１３２Ｂが連結して構成されているが、これは後方筒部１３２Ｂに弁座部１４２を一体成形するようにしたためであり、前方筒部１３２Ａ及び後方筒部１３２Ｂを一体成形とし、それらとは別体に形成した弁座部を連結するようにすることもできる。
【００２２】
弁体１４６の前端には前方（図で見て右方）に突出した円環状の外側リップ部１４６ａと内側リップ部１４６ｂが形成されており、その間に吸着空間１４６ｃを形成している。後述するように雄型管継手部材１０２を雌型管継手部材１０４内に挿入すると雄側継手本体１１２の前端部１１２ｂが弁体１４６に当接することになるが、その際に弁体１４６の外側リップ部１４６ａと内側リップ部１４６ｂとが雄側継手本体１１２の前端部１１２ｂによって潰される。そうすると、吸着空間１４６ｃ内の空気は一定量排出され、吸着空間１４６ｃが圧縮されたような状態となる。この状態で雄側継手本体１１２が弁体１４６に対して相対的に前方に変位しようとすると吸着空間１４６ｃは真空状態（負圧状態）となり、弁体１４６を前方へ引っ張ろうとする吸着力が生じる。
【００２３】
図４に示すように、スリーブ１３８の内周面１３８ｂには凹部１５６が設けられている。施錠子受入孔１５４は、スリーブ１３８の内周面１３８ｂに開口する内側開口周縁部１５４ａ、外周面１３８ａに開口する外側開口周縁部１５４ｂ、及び内側開口周縁部１５４ａと外側開口周縁部１５４ｂとの間に延びる孔内周面１５４ｃを有しており、内側開口周縁部１５４ａは、凹部１５６に開口して雌側継手本体１３２の外周面１４０ａから離れた位置となっている。また、雌側継手本体１３２の施錠子保持孔１３４は、その内周面１３４ａが当該雌側継手本体１３２の半径方向内側に向うに従って狭くなるようなテーパー形状となっていて、雌側継手本体１３２の内周面に開口する内側開口部１３４ｂが施錠子１３６の直径よりも小さくなっている。これにより、施錠子１３６は施錠子保持孔１３４を径方向内側に通過して施錠子保持孔１３４から外れることがない。
【００２４】
図１の非連結状態においては、雌型管継手部材１０４のスライド弁１４４はスプリング１５０によって前方へ付勢された弁体１４６が弁座部１４２に押しつけられた状態となり、また弁体支持部材１４８が施錠子１３６及び施錠子保持孔１３４の径方向内側に位置している。施錠子１３６は、スライド弁１４４の弁体支持部材１４８によって内側から支持され、その一部が雌側継手本体１３２の筒状周壁部１４０の外周面１４０ａから突出して、スリーブ１３８の施錠子受入孔１５４に受け入れられた施錠解除位置となっている。スリーブ１３８はスプリング１５９によって当該雌型管継手部材１０４の前端側（図で見て右側）に付勢されているが、施錠子受入孔１５４の内側開口周縁部１５４ａが施錠子１３６に係合することにより、図１に示す施錠子解放位置に保持されている。このときに施錠子１３６の径方向での外側頂部１３６ａが、図４に示すように、スリーブ１３８の外周面１３８ａと略面一となる程度にまで、スリーブ１３８の厚さは薄くなっている。
【００２５】
図１の非連結状態から、雄型管継手部材１０２を雌型管継手部材１０４内に挿入していくと、雄側継手本体１１２の前端部１１２ｂがスライド弁１４４の弁体１４６に当接してスライド弁１４４を雌型管継手部材１０４の後方（図で見て左方）に押し込み、雌側流路１３０を開放させる。また同時に、雌側継手本体１３２の弁座部１４２が雄型管継手部材１０２の弁体１１４に当接して弁体１１４を雄型管継手部材１０２の後方（図で見て右方）に押し込み、雄側流路１１０を開放させる。これにより、図２に示すように、雌側流路１３０と雄側流路１１０とが連通した状態となる。このとき、弁体１４６の外側リップ部１４６ａと内側リップ部１４６ｂとが雄側継手本体１１２の前端部１１２ｂによって潰され、吸着空間１４６ｃは圧縮されて内部の空気は一定量排出される。
【００２６】
図２に示すように雄型管継手部材１０２の施錠子係合溝１２２が施錠子１３６のすぐ内側の位置にまで来ると、施錠子１３６は、スリーブ１３８に形成されている施錠子受入孔１５４の内側開口周縁部１５４ａによって径方向内側に押され、施錠子受入孔１５４から内側に離れ、図３に示すように一部が雌側継手本体１４０の筒状周壁部１４０から内側に突出して施錠子係合溝１２２に係合した施錠位置となる。このため、スリーブ１３８はスプリング１５９の付勢力により前方（図で見て右側）に変位し、当該スリーブ１３８の内周面１３８ｂによって施錠子１３６を外側から押えて施錠子１３６を施錠位置に保持する、施錠子保持位置となる。施錠子１３６が施錠位置に保持されることにより、雄型管継手部材１０２は雌型管継手部材１０４に施錠子１３６を介して保持され、雌型管継手部材１０４と雄型管継手部材１０２とは連結状態となる。なお、図１の非連結状態においては、上述のように施錠子受入孔１５４の内側開口周縁部１５４ａは、雌側継手本体１３２の外周面１４０ａから離れた位置にあるため、そのようにされていない場合に比べて、施錠解放位置にある施錠子１３６のより外側の位置で係合するようになり、施錠子１３６を押す力の向きがより当該雌側継手本体１３２の径方向内側に向くようになっている。これにより当該管継手が図２に示す状態となったときに施錠子１３６が施錠位置にまで円滑に変位するようになる。
【００２７】
図３の連結状態から連結を解除する際には、施錠子保持位置にあるスリーブ１３８を図２の施錠子解放位置にまで変位させて、施錠子受入孔１５４が施錠子１３６及び施錠子保持孔１３４と径方向で整合した状態とする。そうすると、施錠子１３６は施錠位置から径方向外側に変位して、その一部が筒状周壁部１４０から外側に突出した施錠子解除位置へと変位可能な状態となる。この状態で雄型管継手部材１０２を雌型管継手部材１０４から引き抜くようにすれば、施錠子１３６は施錠子係合溝１２２の傾斜側面によって外側に押され、その一部が施錠子受入孔１５４に受け入れられて施錠解除位置に変位すると共に、スライド弁１４４の弁体支持部材１４８によって内側から支持されて施錠子解除位置に保持される。雄型管継手部材１０２を雌型管継手部材１０４から引き抜くときに雄側継手本体１１２の前端部１１２ｂがスライド弁１４４の弁体１４６から相対的に離れようとすると、吸着空間１４６ｃが拡大されて真空状態となり、雄側継手本体１１２の前端部１１２ｂとスライド弁１４４の弁体１４６との間に吸着力が生じる。このため、例えばスライド弁１４４と雌側継手本体１３２との間の摩擦抵抗が大きくなるなどしてスプリング１５０の付勢力だけではスライド弁１４４が変位しない状態となったとしても、スライド弁１４４は雄側継手本体１１２により前方に引っ張られるため、スライド弁１４４をより確実に図１の位置にまで戻すことができる。スリーブ１３８は、施錠子１３６と長手軸線Ｌの方向で係合することにより、図１の施錠子解放位置に保持される。
【００２８】
雌側継手本体１３２の筒状周壁部１４０の外周面１４０ａの側には、ガイドボール（第１ガイド部）１６０が圧入されており、また、スリーブ１３８には図５に示すようにＬ字形状のガイド孔（第２ガイド部）１６２が形成されている。ガイドボール１６０はガイド孔１６２内に位置しており、ガイドボール１６０によりスリーブ１３８の可動範囲は制限される。また、スリーブ１３８を付勢しているスプリング１５９は、スリーブ１３８を長手軸線Ｌの方向での前端側（図で見て右側）に付勢すると共に、前端側から見て時計回りにも付勢するように取り付けられている。スリーブ１３８が施錠子解放位置（図１）にあるときには、ガイドボール１６０がガイド孔１６２の第１端部１６２ａに位置しており、回転方向での位置が拘束される。スリーブ１３８を施錠子保持位置に変位させる際には、スリーブ１３８はまずガイドボール１６０がガイド孔１６２の角部１６２ｂに位置するまで長手軸線Ｌの方向で前方に移動させ、次いでガイドボール１６０がガイド孔１６２の第２端部１６２ｃに位置するまで回転させる。逆にスリーブ１３８を施錠子保持位置から施錠子解放位置に変位させる際には、まずスリーブ１３８を前方から見て反時計回りに回転させてから長手軸線Ｌの方向で後方に変位させるようにする。施錠子保持位置においては、施錠子受入孔１５４が施錠子１３６と長手軸線Ｌの方向及び回転方向の両方で整合しなければならないが、ガイドボール１６０がスリーブ１３８の可動範囲をこのように制限することにより、スリーブ１３８を施錠子解放位置から施錠子保持位置に変位させるときに、スリーブ１３８は施錠子保持位置に向かってガイドされるため、施錠子受入孔１５４が施錠子１３６と整合する施錠子保持位置に変位させるのが容易になる。なお、ガイド孔１６２がＬ字状となっていることにより、スリーブ１３８を施錠子保持位置から施錠子解放位置に変位させる際に、回転動作と直動動作とが必要になるため、スリーブ１３８が誤って施錠子解放位置に変位して連結解除状態となることを防止することができる。
【００２９】
図６乃至１１に示す本発明の第２の実施形態に係る管継手２００は、上記第１の実施形態に係る管継手に対して、雌型管継手部材２０４のスリーブ２３８の構成及び操作が異なる。具体的には、図９に示すように、スリーブ２３８に形成されたＬ字形状のガイド孔２６２の形状が異なっており、スリーブ２３８を施錠子保持位置と施錠子解放位置との間で変位させる際の操作が異なる。
【００３０】
スリーブ２３８が施錠子解放位置（図６、図７、図１０）にあるときには、ガイドボール２６０がガイド孔２６２の第１端部２６２ａに位置しており、スリーブ２３８の長手軸線Ｌの方向での位置が拘束される。スリーブ２３８を施錠子保持位置（図８、図１１）に変位させる際には、スリーブ２３８をまずガイドボール２６０がガイド孔２６２の角部２６２ｂに位置するまで前方から見て時計回りに回転させ、次いでガイドボール２６０がガイド孔２６２の第２端部２６２ｃに位置するまで長手軸線Ｌの方向で前方に移動させる。逆にスリーブ２３８を施錠子保持位置（図８、図１１）から施錠子解放位置（図６、図７、図１０）に変位させる際には、まずスリーブ２３８を長手軸線Ｌの方向で後方に変位させてから前方から見て反時計回りに回転させるようにする。
【００３１】
本願発明に係る雌型管継手部材１０４、２０４においては、スリーブ１３８，２３８に設けた施錠子受入孔１５４、２５４が施錠子１３６、２３６を受け入れて、施錠子受入孔１５４、２５４の内側開口周縁部１５４ａによって係合して該施錠子１３６、２３６を施錠解除位置に保持するようになっている。すなわち、本願発明では、上記従来技術において施錠子を径方向外側から保持していたカバー部に相当する部分を設ける必要がない。このため、流路に対する雌型管継手部材１０４、２０４の外径を小さくすることが可能となる。尚、図示の実施形態では、施錠子受入孔１５４、２５４の直径が施錠子１３６、２３６よりも小さくなっているが、これに限定されるものではない。施錠子受入孔１５４，２５４の直径が施錠子１３６、２３６よりも大きな場合であっても、スプリング１５９によって付勢されるスリーブ１３８における施錠子受入孔１５４，２５４の内側開口周縁部１５４ａが、図４に示すものと同様に、施錠子１３６を施錠子保持孔１３４の内周面１３４ａとの間に挟んで、施錠子１３６を施錠解除位置に保持することができる。更に、施錠子１３６に係合して施錠子１３６をこの内周面１３４ａとの間に挟む部分は施錠子受入孔１５４、２５４の内側開口周縁部１５４ａに限らず、外側開口周縁部１５４ｂや孔内周面１５４ｃであってもよい。
【００３２】
上記実施形態においては、ガイド孔１６２、２６２がＬ字形状となっていて、スリーブ１３８、２３８を施錠子保持位置と施錠子解放位置との間で変位させる際に、長手軸線Ｌの方向での直動動作と回転動作とが必要となるようになっているが、ガイド孔を長手軸線の方向又は回転方向にまっすぐに伸びる直線上の孔として、長手軸線の方向での直動動作又は回転動作のみでスリーブが施錠子保持位置と施錠子解放位置との間で変位するようにすることもできる。また、ガイドボールとガイド孔は、雌側継手本体に対するスリーブの可動範囲を適切に制限できるものであれば他の形態でももちろんよく、例えば、スリーブの内周面にガイド部としての突起を設け、雌側継手本体にガイド部としての溝を形成し、これら突起と溝とが係合することによりスリーブの可動範囲を制限するようにしてもよい。さらには、施錠子は球形以外の形状としてもよく、また施錠子受入孔の形状も施錠解放位置にある施錠子を受け入れつつ施錠子が径方向外側に通過しないような円形以外の形状の貫通孔としてもよい。
【符号の説明】
【００３３】
管継手１００；雄型管継手部材１０２；雌型管継手部材１０４；雄側流路１１０；雄側継手本体１１２；前方筒部１１２Ａ；後方筒部１１２Ｂ；外周面１１２ａ；前端部１１２ｂ；弁体１１４；前端開口１１６；弁座部１１８；スプリング１２０；施錠子係合溝１２２；雌側流路１３０；雌側継手本体１３２；前方筒部１３２Ａ；後方筒部１３２Ｂ；外周面１３２ａ；施錠子保持孔１３４；内周面１３４ａ；内側開口部１３４ｂ；施錠子１３６；外側頂部１３６ａ；スリーブ１３８；外周面１３８ａ；内周面１３８ｂ；筒状周壁部１４０；外周面１４０ａ；内周面１４０ｂ；弁座部１４２；スライド弁１４４；弁体１４６；外側リップ部１４６ａ；内側リップ部１４６ｂ；吸着空間１４６ｃ；弁体支持部材１４８；スプリング１５０；先端開口１５２；施錠子受入孔１５４；内側開口周縁部１５４ａ；外側開口周縁部１５４ｂ；孔内周面１５４ｃ；凹部１５６；スプリング１５９；ガイドボール１６０；ガイド孔１６２；第１端部１６２ａ；角部１６２ｂ；第２端部１６２ｃ；
管継手２００；雌型管継手部材２０４；施錠子：２３６；スリーブ２３８；施錠子受入孔２５４；ガイドボール２６０；ガイド孔２６２；第１端部２６２ａ；角部２６２ｂ；第２端部２６２ｃ；
長手軸線Ｌ
【図１】
2017057720.tif 000003
【図２】
2017057720.tif 000004
【図３】
2017057720.tif 000005
【図４】
2017057720.tif 000006
【図５】
2017057720.tif 000007
【図６】
2017057720.tif 000008
【図７】
2017057720.tif 000009
【図８】
2017057720.tif 000010
【図９】
2017057720.tif 000011
【図１０】
2017057720.tif 000012
【図１１】
2017057720.tif 000013
【手続補正書】
【提出日】平成29年8月4日(2017.8.4)
【手続補正１】
【補正対象書類名】明細書
【補正対象項目名】全文
【補正方法】変更
【補正の内容】
【発明の詳細な説明】
【技術分野】
【０００１】
本発明は、雌型管継手部材、及び雌型管継手部材と雄型管継手部材とからなる管継手に関する。
【背景技術】
【０００２】
例えば特許文献１に示すように、雄型管継手部材と雌型管継手部材とからなる管継手において、施錠子によって雄型管継手部材と雌型管継手部材とを取り外し可能に連結するようにしたものがよく知られている。このような管継手における雌型管継手部材は、通常、雄型管継手部材を受け入れる継手本体と、継手本体の施錠子保持孔内において径方向に変位可能に保持された施錠子と、継手本体の外周面上に配置されて施錠子の位置を制限するようにされたスリーブとを備えている。この雌型管継手本体が雄型管継手本体との連結状態となっているときには、施錠子が、継手本体の内周面から突出して雄型管継手部材の係合溝に係合し、またスリーブの内周面によって径方向外側から押えられて係合溝に係合した状態に維持されるようにされ、これにより雄型管継手部材は雌型管継手部材から取り外しできない状態となる。この連結を解除する際には、スリーブの内周面に設けられた拡径部が施錠子と径方向で整合するようにスリーブを継手本体に対して変位させて、施錠子が雄型管継手部材の係合溝から径方向外側に変位可能な状態とする。この状態で雄型管継手部材を雌型管継手部材から引き抜くようにすると、施錠子は係合溝によって径方向外側に変位して係合溝との係合が解除される。
【０００３】
連結が解除される際に、施錠子はスリーブの拡径部に向かって径方向外側に変位するが、この拡径部は、施錠子及び施錠子保持孔を径方向外側から覆うような内周面を有する形状とされている。この拡径部の内周面が施錠子の外側頂部に当接して該施錠子の径方向外側への変位を制限するようにすることで、該施錠子が施錠子保持孔から完全に外れてしまうことがないようにしている。
【先行技術文献】
【特許文献】
【０００４】
【特許文献１】特開２０１４−２０２３１０号公報
【発明の概要】
【発明が解決しようとする課題】
【０００５】
管継手を通して流すことが可能な流量は、主として管継手の流路の大きさによって決まる。したがって、最大流量を大きくするためには流路を大きくする必要があるが、そうすると必然的に管継手の径も大きくなる。上述のような管継手における雌型管継手部材においては、連結解除状態において施錠子が継手本体の内周面に突出しない位置となるが、そのときにこの施錠子が施錠子保持孔から完全には外れないようにするためにスリーブに施錠子全体を径方向外側から押える上記拡径部のような構造が設けられている。したがって、雌型管継手部材の外径は、継手本体の内径に少なくとも施錠子と該施錠子全体を覆う部分のスリーブの厚みとを加えた大きさとなり、このような構成が管継手の外径を小さくすることの妨げとなっていた。
【０００６】
そこで本発明は、上記従来技術の問題に鑑みて、流路に対する外径の大きさを従来のものに比べて小さくすることが可能な構成を有する雌型管継手部材、及びこのような雌型管継手部材と雄型管継手部材とからなる管継手を提供することを目的とする。
【課題を解決するための手段】
【０００７】
すなわち本発明は、
対応する雄型管継手部材に取り外し可能に連結される雌型管継手部材であって、
該雄型管継手部材を受け入れる筒状周壁部、及び該筒状周壁部に径方向で貫通するように形成された施錠子保持孔を有する継手本体と、
該施錠子保持孔内に配置された施錠子であって、該筒状周壁部内に受け入れた雄型管継手部材を施錠するように該筒状周壁部から内側に一部が突出した施錠位置と、該雄型管継手部材に対する施錠を解除するように該施錠位置よりも外側に位置し該筒状周壁部から外側に一部が突出した施錠解除位置との間で変位可能とされた施錠子と、
内周面及び外周面を有し、該筒状周壁部を周方向で囲むように配置され、該筒状周壁部の外周面に沿って変位可能とされたスリーブであって、該スリーブの該内周面から該外周面に貫通し、該内周面に開口する内側開口周縁部、該外周面に開口する外側開口周縁部、及び該内側開口周縁部と外側開口周縁部との間に延びる孔内周面とを有する施錠子受入孔を有し、該施錠子受入孔が該施錠子保持孔と径方向で整合して該筒状周壁部から外側に突出する該施錠子の一部を受け入れて該施錠子が該施錠解除位置となることを許容する施錠子解放位置と、該施錠子受入孔が該施錠子保持孔と径方向で整合せず該スリーブの該内周面によって該施錠子を該施錠位置に保持する施錠保持位置との間で変位可能とされ、該スリーブが該施錠子解放位置にあるときに該施錠子受入孔の該内側開口周縁部、該外側開口周縁部、及び該孔内周面のうちの何れかが該施錠子に係合して、該施錠子が該スリーブを径方向外側に通過するのを阻止するようになされている、スリーブと、
を備える雌型管継手部材を提供する。
【０００８】
当該雌型管継手部材においては、施錠解除位置となった施錠子を貫通した施錠子受入孔に受け入れるようになっている。そのため、施錠解除位置にある施錠子を径方向外側から覆って押える拡径部を有する従来の雌型管継手部材に比べて、施錠子を覆う部分がなくなる分だけスリーブを薄くすることが可能となる。これにより、流路に対する雌型管継手部材の外径を従来のものに比べて小さくすることが可能となる。
【０００９】
好ましくは、該施錠子が球形の部材であり、該施錠子受入孔が該施錠子の直径よりも小さい直径を有する円形の孔であるようにすることができる。
【００１０】
より好ましくは、該スリーブの該内周面に凹部が形成され、該施錠子受入孔の該内側開口周縁部が、該凹部に開口して該継手本体の外周面から離れた位置となるようにされ、該スリーブが該施錠子解放位置にあるときに該内側開口周縁部が該施錠子に係合するようにすることができる。
【００１１】
このような構成により、施錠子受入孔の内側開口周縁部が球形の施錠子のより外側の位置で接触するようになるため、スリーブを施錠子解放位置から施錠子保持位置に変位させる際に施錠子受入孔の内側開口周縁部によって施錠子に加わる力がより内側向きとなり、施錠子をより円滑に径方向内側に向かって施錠位置にまで変位させることが可能となる。
【００１２】
好ましくは、該施錠子が該施錠解除位置にあるときに、該施錠子の径方向での頂部の位置が、該スリーブの該外周面と略面一となるようにすることができる。
【００１３】
このような構成とすることにより、施錠子を利用した雌型管継手部材において、流路に対する雌型管継手部材の外径の大きさを実質的に最小とすることが可能となる。
【００１４】
好ましくは、該継手本体に設けられた第１ガイド部と、該スリーブに設けられた第２ガイド部と、をさらに備え、該スリーブを該施錠子解放位置から該施錠子保持位置に変位させるときに、該第１ガイド部と該第２ガイド部とが係合して、該スリーブが該施錠子保持位置に向かってガイドされるようにすることができる。
【００１５】
当該雌型管継手部材においては、スリーブを施錠子解放位置とするためには、施錠子受入孔と施錠子とを径方向で整合させる必要があるが、第１及び第２ガイド部によりスリーブを施錠子解放位置に向かってガイドすることにより、施錠子受入孔と施錠子との位置を整合させるためのスリーブの操作をより容易に行うことが可能となる。
【００１６】
本発明はまた、
上記の何れかの雌型管継手部材と、
該雌型管継手部材に取り外し可能に連結される雄型管継手部材と、
を備える、管継手を提供する。
【００１７】
以下、本発明に係る管継手の実施形態を添付図面に基づき説明する。
【図面の簡単な説明】
【００１８】
【図１】本発明の第１の実施形態に係る管継手の非連結状態における断面図である。
【図２】図１の管継手の雄型管継手部材が雌型管継手部材内に挿入されている状態を示す図である。
【図３】図１の管継手の連結状態を示す図である。
【図４】施錠子、施錠子保持孔、及び施錠子受入孔を示す拡大図である。
【図５】図１の管継手のスリーブの展開図である。
【図６】本発明の第２の実施形態に係る管継手の非連結状態における断面図である。
【図７】図６の管継手の雄型管継手部材が雌型管継手部材内に挿入されている状態を示す図である。
【図８】図６の管継手の連結状態を示す図である。
【図９】図６の管継手のスリーブの展開図である。
【図１０】図６のＡ−Ａ線における断面図である。
【図１１】図８のＢ−Ｂ線における断面図である。
【発明を実施するための形態】
【００１９】
本発明の第１の実施形態に係る管継手１００は、図１に示すように互いに取り外し可能に連結される雄型管継手部材１０２と雌型管継手部材１０４とからなる。
【００２０】
雄型管継手部材１０２は、雄側流路１１０を有する筒状の雄側継手本体１１２と、雄側流路１１０内でその長手軸線Ｌの方向に変位可能に配置された弁体１１４と、弁体１１４を雄側継手本体１１２の前端開口１１６に設けられた弁座部１１８に向かって押圧するスプリング１２０とからなる。弁体１１４がスプリング１２０の付勢力によって弁座部１１８に押しつけられることにより、雄側流路１１０は閉止された状態となる。雄側継手本体１１２の外周面１１２ａには、後述する施錠子１３６が係合する円環状の施錠子係合溝１２２が形成されている。図示の雄側継手本体１１２は、相互に同軸状にされた前方筒部１１２Ａ及び後方筒部１１２Ｂが連結して構成されているが、それらを一体成形のものとすることもできる。
【００２１】
雌型管継手部材１０４は、雌側流路１３０を有する筒状の雌側継手本体１３２と、雌側継手本体１３２に形成された施錠子保持孔１３４内に配置された施錠子１３６と、雌側継手本体１３２の外周面１３２ａ上に配置されたスリーブ１３８とを備える。雌側継手本体１３２は、雄型管継手部材１０２を受け入れる筒状周壁部１４０を有し、施錠子保持孔１３４はこの筒状周壁部１４０に径方向で貫通するように形成されている。雌側継手本体１３２はさらに雌側流路１３０の中央に配置された弁座部１４２を備えており、この弁座部１４２と筒状周壁部１４０との間には長手軸線Ｌの方向に摺動可能に配置されたスライド弁１４４が配置されている。スライド弁１４４は、弁座部１４２に密封係合する円環状の弁体１４６と、この弁体１４６を保持し筒状周壁部１４０の内周面１４０ｂに対して摺動する筒状の弁体支持部材１４８とからなる。スライド弁１４４は、スプリング１５０によって雌側継手本体１３２の前端開口１５２に向かって付勢され、スプリング１５０の付勢力によって弁体１４６が弁座部１４２に押しつけられることにより雌側流路１３０を閉止する。スリーブ１３８には、その内周面１３８ｂから外周面１３８ａにまで貫通する円形の施錠子受入孔１５４が形成されている。施錠子受入孔１５４の直径は、施錠子１３６の直径よりも小さく、施錠子１３６を径方向外側に通過させない大きさとなっている。図示の雌側継手本体１３２は相互に同軸状にされた前方筒部１３２Ａ及び後方筒部１３２Ｂが連結して構成されているが、これは後方筒部１３２Ｂに弁座部１４２を一体成形するようにしたためであり、前方筒部１３２Ａ及び後方筒部１３２Ｂを一体成形とし、それらとは別体に形成した弁座部を連結するようにすることもできる。
【００２２】
弁体１４６の前端には前方（図で見て右方）に突出した円環状の外側リップ部１４６ａと内側リップ部１４６ｂが形成されており、その間に吸着空間１４６ｃを形成している。後述するように雄型管継手部材１０２を雌型管継手部材１０４内に挿入すると雄側継手本体１１２の前端部１１２ｂが弁体１４６に当接することになるが、その際に弁体１４６の外側リップ部１４６ａと内側リップ部１４６ｂとが雄側継手本体１１２の前端部１１２ｂによって潰される。そうすると、吸着空間１４６ｃ内の空気は一定量排出され、吸着空間１４６ｃが圧縮されたような状態となる。この状態で雄側継手本体１１２が弁体１４６に対して相対的に前方に変位しようとすると吸着空間１４６ｃは真空状態（負圧状態）となり、弁体１４６を前方へ引っ張ろうとする吸着力が生じる。
【００２３】
図４に示すように、スリーブ１３８の内周面１３８ｂには凹部１５６が設けられている。施錠子受入孔１５４は、スリーブ１３８の内周面１３８ｂに開口する内側開口周縁部１５４ａ、外周面１３８ａに開口する外側開口周縁部１５４ｂ、及び内側開口周縁部１５４ａと外側開口周縁部１５４ｂとの間に延びる孔内周面１５４ｃを有しており、内側開口周縁部１５４ａは、凹部１５６に開口して雌側継手本体１３２の外周面１４０ａから離れた位置となっている。また、雌側継手本体１３２の施錠子保持孔１３４は、その内周面１３４ａが当該雌側継手本体１３２の半径方向内側に向うに従って狭くなるようなテーパー形状となっていて、雌側継手本体１３２の内周面に開口する内側開口部１３４ｂが施錠子１３６の直径よりも小さくなっている。これにより、施錠子１３６は施錠子保持孔１３４を径方向内側に通過して施錠子保持孔１３４から外れることがない。
【００２４】
図１の非連結状態においては、雌型管継手部材１０４のスライド弁１４４はスプリング１５０によって前方へ付勢された弁体１４６が弁座部１４２に押しつけられた状態となり、また弁体支持部材１４８が施錠子１３６及び施錠子保持孔１３４の径方向内側に位置している。施錠子１３６は、スライド弁１４４の弁体支持部材１４８によって内側から支持され、その一部が雌側継手本体１３２の筒状周壁部１４０の外周面１４０ａから突出して、スリーブ１３８の施錠子受入孔１５４に受け入れられた施錠解除位置となっている。スリーブ１３８はスプリング１５９によって当該雌型管継手部材１０４の前端側（図で見て右側）に付勢されているが、施錠子受入孔１５４の内側開口周縁部１５４ａが施錠子１３６に係合することにより、図１に示す施錠子解放位置に保持されている。このときに施錠子１３６の径方向での外側頂部１３６ａが、図４に示すように、スリーブ１３８の外周面１３８ａと略面一となる程度にまで、スリーブ１３８の厚さは薄くなっている。
【００２５】
図１の非連結状態から、雄型管継手部材１０２を雌型管継手部材１０４内に挿入していくと、雄側継手本体１１２の前端部１１２ｂがスライド弁１４４の弁体１４６に当接してスライド弁１４４を雌型管継手部材１０４の後方（図で見て左方）に押し込み、雌側流路１３０を開放させる。また同時に、雌側継手本体１３２の弁座部１４２が雄型管継手部材１０２の弁体１１４に当接して弁体１１４を雄型管継手部材１０２の後方（図で見て右方）に押し込み、雄側流路１１０を開放させる。これにより、図２に示すように、雌側流路１３０と雄側流路１１０とが連通した状態となる。このとき、弁体１４６の外側リップ部１４６ａと内側リップ部１４６ｂとが雄側継手本体１１２の前端部１１２ｂによって潰され、吸着空間１４６ｃは圧縮されて内部の空気は一定量排出される。
【００２６】
図２に示すように雄型管継手部材１０２の施錠子係合溝１２２が施錠子１３６のすぐ内側の位置にまで来ると、施錠子１３６は、スリーブ１３８に形成されている施錠子受入孔１５４の内側開口周縁部１５４ａによって径方向内側に押され、施錠子受入孔１５４から内側に離れ、図３に示すように一部が雌側継手本体１３２の筒状周壁部１４０から内側に突出して施錠子係合溝１２２に係合した施錠位置となる。このため、スリーブ１３８はスプリング１５９の付勢力により前方（図で見て右側）に変位し、当該スリーブ１３８の内周面１３８ｂによって施錠子１３６を外側から押えて施錠子１３６を施錠位置に保持する、施錠子保持位置となる。施錠子１３６が施錠位置に保持されることにより、雄型管継手部材１０２は雌型管継手部材１０４に施錠子１３６を介して保持され、雌型管継手部材１０４と雄型管継手部材１０２とは連結状態となる。なお、図１の非連結状態においては、上述のように施錠子受入孔１５４の内側開口周縁部１５４ａは、雌側継手本体１３２の外周面１４０ａから離れた位置にあるため、そのようにされていない場合に比べて、施錠解放位置にある施錠子１３６のより外側の位置で係合するようになり、施錠子１３６を押す力の向きがより当該雌側継手本体１３２の径方向内側に向くようになっている。これにより当該管継手が図２に示す状態となったときに施錠子１３６が施錠位置にまで円滑に変位するようになる。
【００２７】
図３の連結状態から連結を解除する際には、施錠子保持位置にあるスリーブ１３８を図２の施錠子解放位置にまで変位させて、施錠子受入孔１５４が施錠子１３６及び施錠子保持孔１３４と径方向で整合した状態とする。そうすると、施錠子１３６は施錠位置から径方向外側に変位して、その一部が筒状周壁部１４０から外側に突出した施錠解除位置へと変位可能な状態となる。この状態で雄型管継手部材１０２を雌型管継手部材１０４から引き抜くようにすれば、施錠子１３６は施錠子係合溝１２２の傾斜側面によって外側に押され、その一部が施錠子受入孔１５４に受け入れられて施錠解除位置に変位すると共に、スライド弁１４４の弁体支持部材１４８によって内側から支持されて施錠解除位置に保持される。雄型管継手部材１０２を雌型管継手部材１０４から引き抜くときに雄側継手本体１１２の前端部１１２ｂがスライド弁１４４の弁体１４６から相対的に離れようとすると、吸着空間１４６ｃが拡大されて真空状態となり、雄側継手本体１１２の前端部１１２ｂとスライド弁１４４の弁体１４６との間に吸着力が生じる。このため、例えばスライド弁１４４と雌側継手本体１３２との間の摩擦抵抗が大きくなるなどしてスプリング１５０の付勢力だけではスライド弁１４４が変位しない状態となったとしても、スライド弁１４４は雄側継手本体１１２により前方に引っ張られるため、スライド弁１４４をより確実に図１の位置にまで戻すことができる。スリーブ１３８は、施錠子１３６と長手軸線Ｌの方向で係合することにより、図１の施錠子解放位置に保持される。
【００２８】
雌側継手本体１３２の筒状周壁部１４０の外周面１４０ａの側には、ガイドボール（第１ガイド部）１６０が圧入されており、また、スリーブ１３８には図５に示すようにＬ字形状のガイド孔（第２ガイド部）１６２が形成されている。ガイドボール１６０はガイド孔１６２内に位置しており、ガイドボール１６０によりスリーブ１３８の可動範囲は制限される。また、スリーブ１３８を付勢しているスプリング１５９は、スリーブ１３８を長手軸線Ｌの方向での前端側（図で見て右側）に付勢すると共に、前端側から見て時計回りにも付勢するように取り付けられている。スリーブ１３８が施錠子解放位置（図１）にあるときには、ガイドボール１６０がガイド孔１６２の第１端部１６２ａに位置しており、回転方向での位置が拘束される。スリーブ１３８を施錠子保持位置に変位させる際には、スリーブ１３８はまずガイドボール１６０がガイド孔１６２の角部１６２ｂに位置するまで長手軸線Ｌの方向で前方に移動させ、次いでガイドボール１６０がガイド孔１６２の第２端部１６２ｃに位置するまで回転させる。逆にスリーブ１３８を施錠子保持位置から施錠子解放位置に変位させる際には、まずスリーブ１３８を前方から見て反時計回りに回転させてから長手軸線Ｌの方向で後方に変位させるようにする。施錠子解放位置においては、施錠子受入孔１５４が施錠子１３６と長手軸線Ｌの方向及び回転方向の両方で整合しなければならないが、ガイドボール１６０がスリーブ１３８の可動範囲をこのように制限することにより、スリーブ１３８を施錠子保持位置から施錠子解放位置に変位させるときに、スリーブ１３８は施錠子解放位置に向かってガイドされるため、施錠子受入孔１５４が施錠子１３６と整合する施錠子解放位置に変位させるのが容易になる。なお、ガイド孔１６２がＬ字状となっていることにより、スリーブ１３８を施錠子保持位置から施錠子解放位置に変位させる際に、回転動作と直動動作とが必要になるため、スリーブ１３８が誤って施錠子解放位置に変位して連結解除状態となることを防止することができる。
【００２９】
図６乃至１１に示す本発明の第２の実施形態に係る管継手２００は、上記第１の実施形態に係る管継手に対して、雌型管継手部材２０４のスリーブ２３８の構成及び操作が異なる。具体的には、図９に示すように、スリーブ２３８に形成されたＬ字形状のガイド孔２６２の形状が異なっており、スリーブ２３８を施錠子保持位置と施錠子解放位置との間で変位させる際の操作が異なる。
【００３０】
スリーブ２３８が施錠子解放位置（図６、図７、図１０）にあるときには、ガイドボール２６０がガイド孔２６２の第１端部２６２ａに位置しており、スリーブ２３８の長手軸線Ｌの方向での位置が拘束される。スリーブ２３８を施錠子保持位置（図８、図１１）に変位させる際には、スリーブ２３８をまずガイドボール２６０がガイド孔２６２の角部２６２ｂに位置するまで前方から見て時計回りに回転させ、次いでガイドボール２６０がガイド孔２６２の第２端部２６２ｃに位置するまで長手軸線Ｌの方向で前方に移動させる。逆にスリーブ２３８を施錠子保持位置（図８、図１１）から施錠子解放位置（図６、図７、図１０）に変位させる際には、まずスリーブ２３８を長手軸線Ｌの方向で後方に変位させてから前方から見て反時計回りに回転させるようにする。
【００３１】
本願発明に係る雌型管継手部材１０４、２０４においては、スリーブ１３８，２３８に設けた施錠子受入孔１５４、２５４が施錠子１３６、２３６を受け入れて、施錠子受入孔１５４、２５４の内側開口周縁部１５４ａによって係合して該施錠子１３６、２３６を施錠解除位置に保持するようになっている。すなわち、本願発明では、上記従来技術において施錠子を径方向外側から保持していたカバー部に相当する部分を設ける必要がない。このため、流路に対する雌型管継手部材１０４、２０４の外径を小さくすることが可能となる。尚、図示の実施形態では、施錠子受入孔１５４、２５４の直径が施錠子１３６、２３６よりも小さくなっているが、これに限定されるものではない。施錠子受入孔１５４，２５４の直径が施錠子１３６、２３６よりも大きな場合であっても、スプリング１５９によって付勢されるスリーブ１３８における施錠子受入孔１５４，２５４の内側開口周縁部１５４ａが、図４に示すものと同様に、施錠子１３６を施錠子保持孔１３４の内周面１３４ａとの間に挟んで、施錠子１３６を施錠解除位置に保持することができる。更に、施錠子１３６に係合して施錠子１３６をこの内周面１３４ａとの間に挟む部分は施錠子受入孔１５４、２５４の内側開口周縁部１５４ａに限らず、外側開口周縁部１５４ｂや孔内周面１５４ｃであってもよい。
【００３２】
上記実施形態においては、ガイド孔１６２、２６２がＬ字形状となっていて、スリーブ１３８、２３８を施錠子保持位置と施錠子解放位置との間で変位させる際に、長手軸線Ｌの方向での直動動作と回転動作とが必要となるようになっているが、ガイド孔を長手軸線の方向又は回転方向にまっすぐに伸びる直線上の孔として、長手軸線の方向での直動動作又は回転動作のみでスリーブが施錠子保持位置と施錠子解放位置との間で変位するようにすることもできる。また、ガイドボールとガイド孔は、雌側継手本体に対するスリーブの可動範囲を適切に制限できるものであれば他の形態でももちろんよく、例えば、スリーブの内周面にガイド部としての突起を設け、雌側継手本体にガイド部としての溝を形成し、これら突起と溝とが係合することによりスリーブの可動範囲を制限するようにしてもよい。さらには、施錠子は球形以外の形状としてもよく、また施錠子受入孔の形状も施錠解放位置にある施錠子を受け入れつつ施錠子が径方向外側に通過しないような円形以外の形状の貫通孔としてもよい。
【符号の説明】
【００３３】
管継手１００；雄型管継手部材１０２；雌型管継手部材１０４；雄側流路１１０；雄側継手本体１１２；前方筒部１１２Ａ；後方筒部１１２Ｂ；外周面１１２ａ；前端部１１２ｂ；弁体１１４；前端開口１１６；弁座部１１８；スプリング１２０；施錠子係合溝１２２；雌側流路１３０；雌側継手本体１３２；前方筒部１３２Ａ；後方筒部１３２Ｂ；外周面１３２ａ；施錠子保持孔１３４；内周面１３４ａ；内側開口部１３４ｂ；施錠子１３６；外側頂部１３６ａ；スリーブ１３８；外周面１３８ａ；内周面１３８ｂ；筒状周壁部１４０；外周面１４０ａ；内周面１４０ｂ；弁座部１４２；スライド弁１４４；弁体１４６；外側リップ部１４６ａ；内側リップ部１４６ｂ；吸着空間１４６ｃ；弁体支持部材１４８；スプリング１５０；先端開口１５２；施錠子受入孔１５４；内側開口周縁部１５４ａ；外側開口周縁部１５４ｂ；孔内周面１５４ｃ；凹部１５６；スプリング１５９；ガイドボール１６０；ガイド孔１６２；第１端部１６２ａ；角部１６２ｂ；第２端部１６２ｃ；
管継手２００；雌型管継手部材２０４；施錠子：２３６；スリーブ２３８；施錠子受入孔２５４；ガイドボール２６０；ガイド孔２６２；第１端部２６２ａ；角部２６２ｂ；第２端部２６２ｃ；
長手軸線Ｌ
【手続補正２】
【補正対象書類名】特許請求の範囲
【補正対象項目名】全文
【補正方法】変更
【補正の内容】
【特許請求の範囲】
【請求項１】
対応する雄型管継手部材に取り外し可能に連結される雌型管継手部材であって、
該雄型管継手部材を受け入れる筒状周壁部、及び該筒状周壁部に径方向で貫通するように形成された施錠子保持孔を有する継手本体と、
該施錠子保持孔内に配置された施錠子であって、該筒状周壁部内に受け入れた雄型管継手部材を施錠するように該筒状周壁部から内側に一部が突出した施錠位置と、該雄型管継手部材に対する施錠を解除するように該施錠位置よりも外側に位置し該筒状周壁部から外側に一部が突出した施錠解除位置との間で変位可能とされた施錠子と、
内周面及び外周面を有し、該筒状周壁部を周方向で囲むように配置され、該筒状周壁部の外周面に沿って変位可能とされたスリーブであって、該スリーブの該内周面から該外周面に貫通し、該内周面に開口する内側開口周縁部、該外周面に開口する外側開口周縁部、及び該内側開口周縁部と外側開口周縁部との間に延びる孔内周面とを有する施錠子受入孔を有し、該施錠子受入孔が該施錠子保持孔と径方向で整合して該筒状周壁部から外側に突出する該施錠子の一部を受け入れて該施錠子が該施錠解除位置となることを許容する施錠子解放位置と、該施錠子受入孔が該施錠子保持孔と径方向で整合せず該スリーブの該内周面によって該施錠子を該施錠位置に保持する施錠保持位置との間で変位可能とされ、該スリーブが該施錠子解放位置にあるときに該施錠子受入孔の該内側開口周縁部、該外側開口周縁部、及び該孔内周面のうちの何れかが該施錠子に係合して、該施錠子が該スリーブを径方向外側に通過するのを阻止するようになされている、スリーブと、
を備える雌型管継手部材。
【請求項２】
該施錠子が球形の部材であり、該施錠子受入孔が該施錠子の直径よりも小さい直径を有する円形の孔である、請求項１に記載の雌型管継手部材。
【請求項３】
該スリーブの該内周面に凹部が形成され、該施錠子受入孔の該内側開口周縁部が、該凹部に開口して該継手本体の外周面から離れた位置となるようにされ、該スリーブが該施錠子解放位置にあるときに該内側開口周縁部が該施錠子に係合するようにされた、請求項１又は２に記載の雌型管継手部材。
【請求項４】
該施錠子が該施錠解除位置にあるときに、該施錠子の径方向での頂部の位置が、該スリーブの該外周面と略面一となる、請求項１乃至３の何れか一項に記載の雌型管継手部材。
【請求項５】
該継手本体に設けられた第１ガイド部と、該スリーブに設けられた第２ガイド部と、をさらに備え、該スリーブを該施錠子保持位置から該施錠子解放位置に変位させるときに、該第１ガイド部と該第２ガイド部とが係合して、該スリーブが該施錠子解放位置に向かってガイドされるようにされた、請求項１乃至４の何れか一項に記載の雌型管継手部材。
【請求項６】
請求項１乃至５の何れか一項に記載の雌型管継手部材と、
該雌型管継手部材に取り外し可能に連結される雄型管継手部材と、
を備える、管継手。
【国際調査報告】
2017057720.tif 000014
2017057720.tif 000015
2017057720.tif 000016
2017057720.tif 000017